(57)【特許請求の範囲】
【請求項１】
所望のコンテンツデータを受信するために、自己の携帯端末ＩＤ又はメモリカ−ドＩＤ及び電子マネ−を販売店設置端末へ送信し、前記販売店設置端末から前記コンテンツデ−タを受信する少なくとも第１および第２の２つのユ−ザ携帯端末と、
前記携帯端末ＩＤ又はメモリカ−ドＩＤ及び前記電子マネ−を前記ユーザ携帯端末から受け取り前記コンテンツデータを前記携帯端末ＩＤ又はメモリカ−ドＩＤに基づいて暗号化して前記ユーザ携帯端末へ送信すると共に、前記電子マネーを課金センタ−へ送信する販売店設置端末と、
前記ユーザ携帯端末から受け取った電子マネ−を前記販売店設置端末から受信する課金センタ−と、
前記第１のユーザ携帯端末において受信したコンテンツデータを前記第２のユーザ携帯端末側の電子マネーにより課金処理して前記第２のユーザ携帯端末に対して前記第２の携帯端末ＩＤ又はメモリカ−ドＩＤにより暗号化して転送する手段及び前記第２のユーザ携帯端末側の電子マネーにより課金処理した電子マネー情報を前記第１のユーザ携帯端末が受け取り履歴として保存する手段または前記第２のユーザ携帯端末側の電子マネーにより課金処理された電子マネー情報を前記第２のユーザ携帯端末が保存する手段と、
を備えるデ−タ配信システムにおけるユーザ携帯端末であって、
全体の動作を制御する制御部と、
外部とのデ−タのやり取りを行うデ−タ転送インタ−フエ−スと、
デ−タの書き込み／読み出しを行う記憶部又はメモリカ−ドと、
圧縮されたデ−タを伸長する伸長部と、
暗号化されたデ−タを復号化する復号化部と、
前記コンテンツデ−タを再生する再生部と、
前記電子マネ−の受け取り／支払いを行う電子財布部と、
前記制御部、前記インタ−フエ−ス、前記記憶部、前記伸長部、前記復号化部、前記再生部、前記電子財布部の間でデ−タを転送する内部バスと、
前記携帯端末ＩＤ又はメモリカ−ドＩＤと、
を備え、
前記デ−タ転送インタ−フエ−ス部を介して前記コンテンツデ−タを受信し、前記コンテンツデ−タが、前記携帯端末ＩＤ又はメモリカ−ドＩＤに基づいて暗号化された状態で前記記憶部に記憶され、前記電子財布部が、前記コンテンツデ−タに対する料金として前記電子マネ−を支払う、
ことを特徴とするユーザ携帯端末。
【請求項２】
携帯端末ＩＤ又はメモリカ−ドＩＤを送信し、所望のコンテンツデ−タを受信して電子マネ−により支払うユ−ザ携帯端末と、
前記携帯端末ＩＤ又はメモリカ−ドＩＤを前記ユーザ携帯端末から受け取ると共に、受け取つた携帯端末ＩＤ又はメモリカ−ドＩＤ及び前記所望のコンテンツデータのコンテンツＩＤを、ユ−ザ携帯端末にコンテンツデータを配信するためのコンテンツセンターに送信する販売店設置端末又はクライアントと、
前記販売店設置端末又はクライアントからの前記携帯端末ＩＤ又はメモリカ−ドＩＤ及びコンテンツＩＤを受信し、前記コンテンツデ−タを前記携帯端末ＩＤ又はメモリカ−ドＩＤにより暗号化して前記販売店設置端末又はクライアントを経由して前記ユーザ携帯端末へ配信するコンテンツセンタ−と、
前記ユーザ携帯端末において受信したコンテンツデータを他のユーザ携帯端末が前記他のユーザ携帯端末の電子マネーにより課金処理すると共に前記他の携帯端末ＩＤ又はメモリカ−ドＩＤにより暗号化されたコンテンツデータとして受信する手段及び前記他のユーザ携帯端末側の電子マネーにより課金処理した電子マネー情報を前記ユーザ携帯端末が受信する手段又は前記他のユーザ携帯端末側の電子マネーにより課金処理された電子マネー情報を前記他のユーザ携帯端末が保存する手段と、
を備えるデ−タ配信システムにおけるユーザ携帯端末であって、
外部との暗号化されたコンテンツデ−タ及び暗号再生鍵のやり取りを行うデ−タ転送インタ−フエ−スと、
前記携帯端末ＩＤ又はメモリカ−ドＩＤと、
前記携帯端末ＩＤ又はメモリカ−ドＩＤで暗号化された共通鍵を暗号再生鍵として記憶する記憶部又はメモリカードと、
前記暗号再生鍵を前記携帯端末ＩＤ又はメモリカ−ドＩＤで復号化して得られた共通鍵を用いて、前記暗号化されたコンテンツデ−タを復号化する復号化部と、
前記復号化部で復号化されたコンテンツデ−タを再生する再生部と、
前記コンテンツデ−タに対する料金として電子マネ−を支払う電子財布部と、
を備えたことを特徴とするユーザ携帯端末。
【発明の詳細な説明】
【０００１】
【発明の属する技術分野】
本発明は、データ配信システム、データ配信方法、データ受信可能な携帯端末及びデータ送受信可能な携帯端末に関する。
【０００２】
【従来の技術】
従来、音楽データ等を通信回線を用いて配信するシステム（特開平７−１４７０６３、特開平９−１４６８２０）や通信衛星を用いて配信するシステム（特開平７−１４３０８１、特開平１０−１６３９９１）が開示されている。
【０００３】
現在、音楽ユーザの好みは多様化しており、音楽の流行も短期間で著しく変化するが、前記システムは、コンテンツセンターに蓄積された膨大な数のコンテンツの中から好みの曲を選択できるため、利用できる曲数が極めて多く、音楽ユーザの好みの多様化や音楽の流行に迅速に対応できる。
【０００４】
【発明が解決しようとする課題】
しかし、従来のデータ配信システム、データ配信方法及びデータ再生装置では、データ配信の度に少額の料金を低コストで回収することが容易ではない。また、店頭にてデータを販売した場合、購入者の属性（年齢、性別等）を迅速正確に把握することが容易ではない。また、ＭＤ（ミニディスク）などの既存のメディア（媒体）にデータを記憶させた場合、かかるメディアを介したユーザ間コピーに対し課金することができない。また、インターネットに代表されるネットワークの普及により、店頭や自宅に居ながら世界中の音楽コンテンツに接することができるが、その音楽コンテンツを気軽に持ち歩く（携帯する）ためのネットワークに対応した携帯機器（オーディオ機器）は具体的に提案されていなかった。
【０００５】
【課題を解決するための手段】
上記目的を達成するために、以下の１）及び２）に記載の手段より成る。
すなわち、
１）所望のコンテンツデータを受信するために、自己の携帯端末ＩＤ又はメモリカ−ドＩＤ及び電子マネ−を販売店設置端末へ送信し、前記販売店設置端末から前記コンテンツデ−タを受信する少なくとも第１および第２の２つのユ−ザ携帯端末と、
前記携帯端末ＩＤ又はメモリカ−ドＩＤ及び前記電子マネ−を前記ユーザ携帯端末から受け取り前記コンテンツデータを前記携帯端末ＩＤ又はメモリカ−ドＩＤに基づいて暗号化して前記ユーザ携帯端末へ送信すると共に、前記電子マネーを課金センタ−へ送信する販売店設置端末と、
前記ユーザ携帯端末から受け取った電子マネ−を前記販売店設置端末から受信する課金センタ−と、
前記第１のユーザ携帯端末において受信したコンテンツデータを前記第２のユーザ携帯端末側の電子マネーにより課金処理して前記第２のユーザ携帯端末に対して前記第２の携帯端末ＩＤ又はメモリカ−ドＩＤにより暗号化して転送する手段及び前記第２のユーザ携帯端末側の電子マネーにより課金処理した電子マネー情報を前記第１のユーザ携帯端末が受け取り履歴として保存する手段または前記第２のユーザ携帯端末側の電子マネーにより課金処理された電子マネー情報を前記第２のユーザ携帯端末が保存する手段と、
を備えるデ−タ配信システムにおけるユーザ携帯端末であって、
全体の動作を制御する制御部と、
外部とのデ−タのやり取りを行うデ−タ転送インタ−フエ−スと、
デ−タの書き込み／読み出しを行う記憶部又はメモリカ−ドと、
圧縮されたデ−タを伸長する伸長部と、
暗号化されたデ−タを復号化する復号化部と、
前記コンテンツデ−タを再生する再生部と、
前記電子マネ−の受け取り／支払いを行う電子財布部と、
前記制御部、前記インタ−フエ−ス、前記記憶部、前記伸長部、前記復号化部、前記再生部、前記電子財布部の間でデ−タを転送する内部バスと、
前記携帯端末ＩＤ又はメモリカ−ドＩＤと、
を備え、
前記デ−タ転送インタ−フエ−ス部を介して前記コンテンツデ−タを受信し、前記コンテンツデ−タが、前記携帯端末ＩＤ又はメモリカ−ドＩＤに基づいて暗号化された状態で前記記憶部に記憶され、前記電子財布部が、前記コンテンツデ−タに対する料金として前記電子マネ−を支払う、
ことを特徴とするユーザ携帯端末。
２）携帯端末ＩＤ又はメモリカ−ドＩＤを送信し、所望のコンテンツデ−タを受信して電子マネ−により支払うユ−ザ携帯端末と、
前記携帯端末ＩＤ又はメモリカ−ドＩＤを前記ユーザ携帯端末から受け取ると共に、受け取つた携帯端末ＩＤ又はメモリカ−ドＩＤ及び前記所望のコンテンツデータのコンテンツＩＤを、ユ−ザ携帯端末にコンテンツデータを配信するためのコンテンツセンターに送信する販売店設置端末又はクライアントと、
前記販売店設置端末又はクライアントからの前記携帯端末ＩＤ又はメモリカ−ドＩＤ及びコンテンツＩＤを受信し、前記コンテンツデ−タを前記携帯端末ＩＤ又はメモリカ−ドＩＤにより暗号化して前記販売店設置端末又はクライアントを経由して前記ユーザ携帯端末へ配信するコンテンツセンタ−と、
前記ユーザ携帯端末において受信したコンテンツデータを他のユーザ携帯端末が前記他のユーザ携帯端末の電子マネーにより課金処理すると共に前記他の携帯端末ＩＤ又はメモリカ−ドＩＤにより暗号化されたコンテンツデータとして受信する手段及び前記他のユーザ携帯端末側の電子マネーにより課金処理した電子マネー情報を前記ユーザ携帯端末が受信する手段又は前記他のユーザ携帯端末側の電子マネーにより課金処理された電子マネー情報を前記他のユーザ携帯端末が保存する手段と、
を備えるデ−タ配信システムにおけるユーザ携帯端末であって、
外部との暗号化されたコンテンツデ−タ及び暗号再生鍵のやり取りを行うデ−タ転送インタ−フエ−スと、
前記携帯端末ＩＤ又はメモリカ−ドＩＤと、
前記携帯端末ＩＤ又はメモリカ−ドＩＤで暗号化された共通鍵を暗号再生鍵として記憶する記憶部又はメモリカードと、
前記暗号再生鍵を前記携帯端末ＩＤ又はメモリカ−ドＩＤで復号化して得られた共通鍵を用いて、前記暗号化されたコンテンツデ−タを復号化する復号化部と、
前記復号化部で復号化されたコンテンツデ−タを再生する再生部と、
前記コンテンツデ−タに対する料金として電子マネ−を支払う電子財布部と、
を備えたことを特徴とするユーザ携帯端末。
【００１９】
【発明の実施の形態】
以下、図面を参照して本発明の実施の形態を説明をする。図１は、本発明の第１実施形態を観念的に示すブロック図である。この実施の形態に係るシステムは、ユーザ携帯端末１０、販売店設置端末１１、課金センター１２、コンテンツセンター１３、通信回線１４及び通信衛星１５により構成される。
【００２０】
各携帯端末１０は、それぞれ固有のＩＤ（識別コード）を有する。携帯端末１０と販売店設置端末１１との間のデータ転送は、ＩＥＥＥ１３９４相当の高速インターフェースにより行う。
【００２１】
各設置端末１１も、それぞれ固有のＩＤを有する。設置端末１１と、課金センター１２と、コンテンツセンター１３とは通信回線１４を経由して各種データを転送する。また、コンテンツデータは、コンテンツセンター１３から通信衛星１５を経由して設置端末１１に転送される。
【００２２】
設置端末１１を経由して携帯端末１０がコンテンツデータを受信した後は、携帯端末１０を設置端末１１から取り外して自由に持ち運び可能であり、いつでもどこでも受信したコンテンツデータ（例えば、音楽データ）を再生して楽しむことができる。
【００２３】
図２は、第１実施形態におけるデータの流れの概略を示す図である。同図に示すように、携帯端末ＩＤ又はメモリカードＩＤ２０は、携帯端末から設置端末を経由して課金センターに送られる。設置端末ＩＤ２１及びコンテンツＩＤ２２は、設置端末から課金センターに送られる。課金情報２３は、課金センターから設置端末を経由して携帯端末に送られる。電子マネー２４は、携帯端末から設置端末を経由して課金センターに送られる。携帯端末ＩＤ又はメモリカードＩＤ２０、設置端末ＩＤ２１、コンテンツＩＤ２２及びコンテンツ送信要求信号２５は、課金センターを経由せずに、設置端末からコンテンツセンターに送られる。コンテンツデータ２６は、課金センターを経由せずに、コンテンツセンターから設置端末を経由して携帯端末に送られる。
【００２４】
電子マネー２４としては、ＩＣチップに貨幣金額を記憶しておきＩＣカードリーダーを通じて支払いを行うＩＣカード型電子マネー（例えば、モンデックス、ＶＩＳＡキャッシュ）等が使用できる。
【００２５】
図３（ａ）及び（ｂ）は、第１実施形態におけるユーザ携帯端末の処理の流れを示すフローチャートである。同図（ａ）は、コンテンツ購入時の処理の流れを示すフローチャートである。販売店設置端末に接続されると、携帯端末から設置端末に携帯端末ＩＤ又はメモリカードＩＤが送信される（ステップ１０１）。設置端末から課金情報を受信すると（ステップ１０２）、携帯端末の電子財布部から課金相当額の電子マネーが設置端末に送られ（ステップ１０３）、設置端末からコンテンツデータを受信する（ステップ１０４）。同図（ｂ）は、コンテンツ再生時の処理の流れを示すフローチャートである。携帯端末ＩＤ又はメモリカードＩＤに基づいて暗号化されているデータを携帯端末ＩＤ又はメモリカードＩＤに基づいて復号化部により復号化し（ステップ１０５）、復号化したデータを伸長部により伸長し（ステップ１０６）、伸長後のデータを再生部により再生することができる（ステップ１０７）。再生をくり返す場合は（ステップ１０８で「はい」）ステップ１０７に戻り、再生をくり返さない場合は（ステップ１０８で「いいえ」）ステップ１０９に進む。他のデータを再生する場合は（ステップ１０９で「はい」）ステップ１０５に戻り、他のデータを再生しない場合は（ステップ１０９で「いいえ」）終了する。
【００２６】
コンテンツデータは圧縮され、暗号化された状態で携帯端末の記憶部に記憶されているので、データを再生する場合は、そのたびにデータを復号化し、伸長する必要がある。
【００２７】
データ圧縮技術としては、ＴｗｉｎＶＱ（商標）、ＡＡＣ（ＡｄｖａｎｃｅｄＡｕｄｉｏ  Ｃｏｄｉｎｇ）、ＭＰＥＧ（Ｍｏｔｉｏｎ  Ｐｉｃｔｕｒｅ  Ｅｘｐｅｒｔｓ  Ｇｒｏｕｐ）Ｌａｙｅｒ１、ＭＰＥＧ  Ｌａｙｅｒ３、ＡＴＲＡＣ（Ａｄａｐｔｉｖｅ  Ｔｒａｎｓｆｏｒｍ  Ａｃｏｕｓｔｉｃ  Ｃｏｄｉｎｇ）等が使用できる。
【００２８】
図４は、第１実施形態における販売店設置端末の処理の流れを示すフローチャートである。携帯端末から携帯端末ＩＤ又はメモリカードＩＤを受信（ステップ２０１）した後に、ユーザがリクエストを入力すると（ステップ２０２）、入力されたリクエストに対応するコンテンツＩＤを検索し（ステップ２０３）、携帯端末ＩＤ又はメモリカードＩＤ、販売店設置端末ＩＤ及びコンテンツＩＤを課金センターへ送信する（ステップ２０４）。課金センターから送信許可の信号を受信し（ステップ２０５で「はい」）、課金情報を受信したら（ステップ２０６）、携帯端末へ課金情報を送信する（ステップ２０７）。携帯端末からコンテンツ料に相当する電子マネーを徴収できたら（ステップ２０８）、コンテンツデータ送信要求の信号及び送信して欲しいコンテンツのＩＤをコンテンツセンターに送る（ステップ２０９）。コンテンツセンターからコンテンツデータを受け取ったら（ステップ２１０）、携帯端末ＩＤ又はメモリカードＩＤを暗号鍵としてコンテンツデータを暗号化し（ステップ２１１）、暗号化したデータを携帯端末へ送る（ステップ２１２）。
【００２９】
課金センターから送信許可の信号を受信しなかった場合は（ステップ２０５で「いいえ」）、コンテンツ送信が許可されなかった旨のメッセージを表示する（ステップ２２１）。
【００３０】
図５は、第１実施形態における課金センターの処理の流れを示すフローチャートである。販売店設置端末から携帯端末ＩＤ又はメモリカードＩＤ、販売店設置端末ＩＤ及びコンテンツＩＤを受信したら（ステップ３０１）、まず携帯端末ＩＤ又はメモリカードＩＤ及び販売店設置端末ＩＤが真正か否かを判断する（ステップ３０２）。両ＩＤとも真正であったら（ステップ３０２で「はい」）、コンテンツ送信許可の信号を販売店設置端末へ送信する（ステップ３０３）。また、コンテンツ料金表を参照し、コンテンツＩＤに対応するコンテンツ課金情報も販売店設置端末へ送信する（ステップ３０４）。
【００３１】
両ＩＤのいずれか一方又は双方が不正である場合は、コンテンツを送信することができない旨の信号を販売店設置端末に送る（ステップ３１１）。
【００３２】
図６は、第１実施形態におけるコンテンツセンターの処理の流れを示すフローチャートである。販売店設置端末からコンテンツ送信要求の信号及び送信して欲しいコンテンツのＩＤを受信したら（ステップ４０１）、販売店設置端末へコンテンツＩＤに対応するコンテンツデータを送信する（ステップ４０２）。
【００３３】
図７は、第１実施形態において使用される携帯端末の構成を示すブロック図である。携帯端末１０は、データ転送インターフェース５０１、電子財布部５０２、表示部５０３、記憶部５０４、操作部５０５、復号化部５０６、データ伸長部５０７、再生部５０８、出力端子５０９及び制御部５１０から構成され、それぞれ内部バス５１１を介して接続されている。
【００３４】
データ転送インターフェース５０１は、携帯端末と設置端末との間のデータ転送用のインターフェースである。このインターフェースを経由して、携帯端末ＩＤ又はメモリカードＩＤ、電子マネー等が携帯端末から設置端末へ転送され、またコンテンツデータ等が設置端末から携帯端末へ転送される。電子財布部５０２は、電子マネーの受け取り、支払いが可能であり、プリペイド方式により電子マネーを予めデポジットしておき、その電子マネーをコンテンツ料金に応じて設置端末に送金等することができる。
【００３５】
表示部５０３は、電子財布の電子マネーの残額や、設置端末とのデータ送受信時の送受信状況、コンテンツ再生時の再生状況等を表示する。操作部５０４は、複数のデータの中から再生したいデータを探し出すためのデータ頭出し操作、再生時の再生音量操作等に使用される。記憶部５０５には、設置端末から受け取ったコンテンツデータが記憶される。記憶部５０５には、携帯端末ＩＤ又はメモリカードＩＤが記憶される。記憶部５０５にはＩＤを有するメモリカードを内蔵するようにしても良い。復号化部５０６は、記憶部５０５に記憶されているコンテンツデータを携帯端末ＩＤ又はメモリカードＩＤに基づいて復号化する。データ伸長部５０７は、圧縮されているコンテンツデータを伸長する。再生部５０８は、コンテンツデータから音声等を再生する。再生された音声等は、出力端子５０９から外部に出力される。制御部５１０は、上記各部を制御する。
【００３６】
図８は、第２実施形態を観念的に示すブロック図である。通信衛星を使用しない点と販売店設置端末の代わりにクライアントとしてのパーソナルコンピュータ（ＰＣ）３１を使用する点で第１実施形態と相違する。携帯端末３０とＰＣ３１間のデータ転送も、第１実施形態と同様にＩＥＥＥ１３９４相当の高速インターフェースを使用する。携帯端末ＩＤ又はメモリカードＩＤ等のデータの転送のみならず、コンテンツデータの転送も、インターネット等の通信回線３４を用いて行う。通信衛星を用いる第１実施形態では、通信衛星用アンテナ（不図示）を介して販売店設置端末にコンテンツデータが転送される。一方、通信回線を用いる本実施形態では、モデム又はターミナルアダプタ（ＴＡ）（不図示）を介してＰＣ３１にコンテンツデータが転送される。
【００３７】
通信衛星を用いた場合に比し、通信回線を用いた場合の方が転送速度が遅いので、転送時間が長くなってしまう。しかし、販売店設置端末の設置場所まで行かなくても、ＰＣやモデム（又はＴＡ）等があれば家庭に居ながらにして本システムを利用することができる。
【００３８】
家庭で本システムを利用するためには、ＰＣやモデム（又はＴＡ）等の他に電子マネー送金システム（電子マネーカードリーダー等）も家庭になければならない。また、ＩＣカード型電子マネーの他に、インターネットでのオンラインショッピングに適するネットワーク型電子マネー（例えば、ｅキャッシュ）等が使用できる。
【００３９】
携帯端末３０から課金センター３２へ電子マネーが送られ、コンテンツセンター３３から携帯端末３０へコンテンツデータが送られる点は、第１実施形態と同様である。
【００４０】
図９（ａ）及び（ｂ）は、第３実施形態を観念的に示すブロック図である。このシステムは、携帯端末間でコンテンツデータのコピー（転送）が可能であると同時にかかるコピーに対して課金が可能であるという点で、第１及び第２実施形態のシステムと相違する。
【００４１】
同図（ａ）に示すように、携帯端末（送信側）４０は、第１又は第２実施形態と同様の処理を経て、コンテンツデータをコンテンツセンター４３から受け取ることができる。なお、携帯端末（送信側）４０と携帯端末（受信側）４６は、便宜上「送信側」、「受信側」として区別するが、いずれも送受信の両機能を有し、装置としては同じ物である。
【００４２】
同図（ｂ）に示すように、コンテンツデータ受領後、携帯端末（送信側）４０を設置端末４１から取り外し、自由に持ち運ぶことができ、かつ携帯端末（送信側）４０に記憶されたコンテンツデータは、携帯端末（受信側）４６にコピー（転送）することができる。かかるコピーには設置端末４１は関与しない。つまり、設置端末４１が無い所で、携帯端末（送信側）４０と携帯端末（受信側）４６との間でコンテンツデータをコピーすることができる。携帯端末間でのコンテンツデータのコピーに対しても課金がなされ、携帯端末（受信側）４６から携帯端末（送信側）４０へコンテンツデータ料に相当する電子マネーが送られる。また、携帯端末間でコンテンツデータのコピーが行われると、携帯端末（受信側）４６の携帯端末ＩＤ又はメモリカードＩＤ及びコピーされたコンテンツデータのコンテンツＩＤがコピー履歴として、携帯端末（送信側）４０に記憶される。このコピー履歴は、前記電子マネーと共に、携帯端末（送信側）４０を後日、販売店設置端末４１に接続したときに、販売店設置端末４１に吸い上げられ、課金センター４２へ転送される。これにより、第１及び第２実施形態と同様に、どのコンテンツをどの携帯端末が入手したのかという情報、及び電子マネーが課金センター４２に集められる。
【００４３】
図１０は、第３実施形態におけるデータの流れを示す図である。同図に示すように、受信側携帯端末から送信側携帯端末へ、受信側携帯端末ＩＤ又はメモリカードＩＤ５０及びコンテンツＩＤ５１が送られる。次に、送信側携帯端末から受信側携帯端末へ、コンテンツＩＤ５１に対応する課金情報５２が送られる。次に、受信側携帯端末から送信側携帯端末へ、コンテンツデータ料として電子マネー５３が送られる。電子マネー５３を受け取ると、送信側携帯端末から受信側携帯端末へ、コンテンツデータ５４が送られる。このようにして、設置端末が無くても、携帯端末間でのコンテンツデータの送受信及びコンテンツデータ料の徴収が可能である。
【００４４】
携帯端末間でのデータ転送後に、送信側携帯端末を設置端末に接続すると、受信側携帯端末ＩＤ又はメモリカードＩＤ５０、コンテンツＩＤ５１、電子マネー５３及び送信側携帯端末ＩＤ又はメモリカードＩＤ５５が、送信側携帯端末から設置端末を経由して課金センターへ送られると共に、設置端末ＩＤ５６も、課金センターに送られる。このようにして、携帯端末間でのコンテンツデータ５４の転送履歴及びコンテンツデータ料としての電子マネー５３が課金センターに集められる。
【００４５】
個人間のデータコピーをいかに防止するかを目的とする従来の著作権保護技術とは異なり、個人間のデータ転送を積極的に容認し、かつデータ転送時に課金することにより最終的に著作権者に使用料を還元することが可能となる。
【００４６】
図１１は、第３実施形態における受信側携帯端末の処理の流れを示すフローチャートである。送信側携帯端末に接続されると、受信側携帯端末ＩＤ又はメモリカードＩＤ及び転送して欲しいコンテンツＩＤを送信側携帯端末へ送る（ステップ６０１）。次に、前記コンテンツＩＤに対応する課金情報を送信側携帯端末から受け取る（ステップ６０２）。前記課金情報に含まれるコンテンツデータ料に相当する電子マネーを支払う（減額する）と共に、支払ったことの情報（電子マネー情報）を送信側携帯端末へ送る（ステップ６０３）。そして、受信側ＩＤに基づいて暗号化されかつ圧縮されたコンテンツデータを送信側携帯端末から受け取る（ステップ６０４）。
【００４７】
図１２は、第３実施形態における受信側携帯端末との間でデータ転送を行う際の送信側携帯端末の処理の流れを示すフローチャートである。受信側携帯端末から携帯端末ＩＤ又はメモリカードＩＤ及びコンテンツＩＤを受け取り（ステップ７０１）、両ＩＤを記憶し（ステップ７０２）、受け取ったコンテンツＩＤに対応する課金情報を受信側携帯端末へ送る（ステップ７０３）。次に、受信側携帯端末から支払った課金相当の電子マネー情報を受け取る（ステップ７０４）。コンテンツデータを受信側携帯端末へ送る前に、送信側ＩＤに基づいて暗号化されているコンテンツデータを、受信側ＩＤに基づいて暗号化する。そのためにまず、暗号化されかつ圧縮されているコンテンツデータを伸長する（ステップ７０５）。次に、送信側ＩＤに基づいてコンテンツデータを復号化する（ステップ７０６）。次に、受信側ＩＤに基づいてコンテンツデータを暗号化する（ステップ７０７）。次に、暗号化済みコンテンツデータを圧縮する（ステップ７０８）。そして、暗号化しかつ圧縮したコンテンツデータを受信側携帯端末へ送る（ステップ７０９）。ここで、ステップ７０５、７０８の伸長と圧縮は省略しても良い。図１１及び図１２に示すように、携帯端末間におけるコンテンツデータの転送時には、設置端末、課金センター及びコンテンツセンターは関与しない。
【００４８】
なお、本実施の形態では、送信側端末において送信側ＩＤに基づいて復号化し、かつ受信側ＩＤに基づいて暗号化してからデータを転送した。このようにデータを暗号化するのは、データを不正にコピーしても、正当な携帯端末でなければデータを再生できないようにするためである。このため暗号化された状態でデータを携帯端末内に記憶すると共に、携帯端末間のデータ転送時にデータの不正コピーがなされる可能性が高いため、転送時にもデータを暗号化する。
【００４９】
図１３は、第３実施形態における販売店設置端末との間でデータ転送を行う際の送信側携帯端末の処理の流れを示すフローチャートである。携帯端末間におけるデータ転送後に送信側携帯端末を設置端末に接続すると、送信側携帯端末から設置端末へ、受信側携帯端末ＩＤ又はメモリカードＩＤ、送信側携帯端末ＩＤ又はメモリカードＩＤ、送信したコンテンツのコンテンツＩＤ及び電子マネーが送られる（ステップ８０１）。
【００５０】
図１４は、第３実施形態における販売店設置端末の処理の流れを示すフローチャートである。まず、送信側携帯端末から、受信側携帯端末ＩＤ又はメモリカードＩＤ、送信側携帯端末ＩＤ又はメモリカードＩＤ、送信したコンテンツのコンテンツＩＤ及び電子マネーを受け取る（ステップ９０１）。次に、これらＩＤ等と、設置端末ＩＤを課金センターへ送る（ステップ９０２）。
【００５１】
図１５は、第３実施形態における課金センターの処理の流れを示すフローチャートである。設置端末から、受信側携帯端末ＩＤ又はメモリカードＩＤ、送信側携帯端末ＩＤ又はメモリカードＩＤ、送信したコンテンツのコンテンツＩＤ、電子マネー及び設置端末ＩＤを受け取る（ステップ９５１）。これにより、携帯端末間コピーに関する転送履歴情報及び携帯端末間コピーに対する課金又は電子マネー情報が、課金センターに集められる。
【００５２】
かかる第３実施形態では、個人間のデータ転送に対しても課金ができるので、個人間のデータ転送を容認しても、最終的に著作権者に使用料を還元することが可能となる。また、携帯端末ＩＤ又はメモリカードＩＤから携帯端末所有者情報（例えば、所有者の年齢、性別等）を参照することにより、どのコンテンツがどのようなユーザからどのようなユーザに転送されたか等の情報を把握することができ、詳細な市場調査が可能になる。
【００５３】
図１６は、第３実施形態において使用される携帯端末の構成図である。携帯端末４０は、データ転送インターフェース７０１、電子財布部７０２、表示部７０３、操作部７０４、記憶部７０５、暗号化／復号化部７０６、データ圧縮／伸長部７０７、再生部７０８、出力端子７０９、制御部７１０及び内部バス７１１から構成されている。
【００５４】
データ転送インターフェース７０１は、送信側携帯端末と受信側携帯端末との間、又は携帯端末と設置端末との間のデータ転送に使用される。このインターフェース７０１を経由して、携帯端末ＩＤ又はメモリカードＩＤ、電子マネー、コンテンツデータ等が携帯端末間、又は携帯端末と設置端末との間で転送される。
【００５５】
電子財布部７０２は、電子マネーの受け取り、支払いをすることができる。プリペイド方式により電子マネーを予めデポジットしておき、その電子マネーをコンテンツ料金に応じて課金センター４２に送金するか、又は送金なしに支払い（減額）することができる。電子マネーの残額は、設置端末において追加することができる。
【００５６】
表示部７０３は、電子財布の電子マネーの残額や、携帯端末間のデータ送受信時の送受信状況、コンテンツ再生時の再生状況等を表示する。操作部７０４は、複数のデータの中から再生したいデータを探し出すためのデータ頭出し操作、再生時の再生音量操作等に使用される。記憶部７０５には、設置端末から受け取ったコンテンツデータ、他の携帯端末から受け取ったコンテンツデータが記憶される。記憶部７０５には、携帯端末ＩＤ又はメモリカードＩＤが記憶される。記憶部７０５には、ＩＤを有するメモリカードを内蔵するようにしても良い。
【００５７】
暗号化／復号化部７０６は、コンテンツデータの暗号化又は復号化を行う。記憶部に記憶されているコンテンツデータは、携帯端末のＩＤに基づいて暗号化される。暗号化されているデータを再生するためには、再生前に復号化する必要がある。各携帯端末は固有のＩＤを有し、データは各ＩＤに基づいて暗号化される。例えば、携帯端末ＡのＩＤをＩＤ（Ａ）とし、携帯端末ＢのＩＤをＩＤ（Ｂ）とすると、携帯端末Ａの記憶部に記憶されているコンテンツデータは、ＩＤ（Ａ）に基づいて暗号化されており、携帯端末Ｂの記憶部に記憶されているコンテンツデータは、ＩＤ（Ｂ）に基づいて暗号化されている。ＩＤ（Ａ）を用いて暗号化されたデータの復号化にはＩＤ（Ａ）が必要であり、ＩＤ（Ｂ）を用いて暗号化されたデータの復号化にはＩＤ（Ｂ）が必要である。第３実施形態においては、端末Ａから端末Ｂにデータを転送する場合は、端末Ａ内でＩＤ（Ａ）に基づいてデータを復号化した後に、端末Ａ内でＩＤ（Ｂ）に基づいてデータを暗号化し、暗号化されたデータを端末Ａから端末Ｂへ転送する。ＩＤ（Ｂ）に基づいて暗号化されたデータは、端末Ｂでしか再生できないので、仮に転送中のデータを不法にコピーしたとしても、容易には再生できないので、データの不法コピーを防止することが出来る。
【００５８】
データ圧縮／伸長部７０７は、データを圧縮、又は圧縮されているデータを伸長する。転送されるデータは、転送効率を上げるため圧縮状態とする。従って、データ送信前にデータを圧縮し、データ受信後に必要に応じて圧縮データを伸長する。再生部７０８は、コンテンツデータから音声等を再生する。再生された音声等は、出力端子７０９から外部に出力される。制御部７１０は、上記各部を制御する。
【００５９】
図１７は、第４実施形態を観念的に示すブロック図である。通信衛星の代わりに通信回線６４を使用してデータを配信する点と販売店設置端末の代わりにクライアントとしてのパーソナルコンピュータ（ＰＣ）６１を使用する点で第３実施形態と相違するが、その他は第３実施形態と同様である。すなわち、まず同図（ａ）に示すように、送信側携帯端末６０が、ＰＣ６１を経由してコンテンツセンター６３からコンテンツデータを受信する。そして、電子マネーをコンテンツ料金に応じて課金センター６２に送金する。その後、同図（ｂ）に示すように、ＰＣ６１等が関与しない所で送信側携帯端末６０から受信側携帯端末６６へコンテンツデータが送られ、受信側携帯端末６６は送金はしないで電子財布から電子マネーを支払い、ここから送信側携帯端末６０へ電子マネー情報が送られる。なお、支払われた電子マネー情報の履歴は受信側携帯端末６６に保存するようにしても良い。また、第３実施形態と同様に、送信側携帯端末６０と受信側携帯端末６６は、ともに送受信の両機能を有し、装置としては同じ物である。
【００６０】
次に、図１８から図２２を用いて、本発明の第５実施例を説明する。第５実施例は、第１実施例の変形例である。システム構成については、図１に示す場合と同様であるため、重複説明を省略する。図１８は、第５実施形態におけるデータの流れの概略を示す図である。図１８において、図２と同様の部分については、同様の符号を付して重複説明を省略する。この実施形態においては、携帯端末ＩＤ又はメモリカードＩＤ７０は、携帯端末から設置端末を経由し、課金センターを経由することなく、コンテンツセンターへ送られる。設置端末ＩＤ及びコンテンツＩＤは、設置端末から、課金センターを経由することなく、コンテンツセンターセンターへ送られる。課金情報はコンテンツセンターから設置端末を経由して、携帯端末に送られる。電子マネー７４はプリペイド方式であるため、プリペイドカードが減額されるだけで、送金はされない。また、課金情報は課金後に、コンテンツセンターから課金センターにも送られる。図１９（ａ）及び（ｂ）は、第５実施形態におけるユーザ携帯端末の処理の流れを示すフローチャートである。図１９（ａ）及び（ｂ）において、図３（ａ）及び（ｂ）と同様の部分については、同様の符号を付して重複説明を省略する。この実施形態においては、電子マネーはプリペイド方式であるため、料金の支払いはプリペイドカードの減額により行われ、販売店設置端末への直接の支払いは行われない（ステップ１００３）。
【００６１】
図２０は、第５実施形態における販売店設置端末の処理の流れを示すフローチャートである。図２０において、図４と同様の部分については、同様の符号を付して重複説明を省略する。この実施形態では、携帯端末ＩＤ又はメモリカードＩＤ、販売店設置端末ＩＤ及びコンテンツＩＤは、コンテンツセンターへ送信される（ステップ１１０４）。コンテンツセンターから送信許可の信号を受信し（ステップ１１０５で「はい」）、課金情報を受信したら（ステップ１１０６）、携帯端末へ課金情報を送信する（ステップ１１０７）。携帯端末への課金後、課金センターへも課金情報が送信される（ステップ１１０８）。
【００６２】
図２１は、第５実施形態におけるコンテンツセンターの処理の流れを示すフローチャートである。図２１の処理の内容は、図５の処理の内容と同様であるため、図５と同様の符号を付して重複説明を省略する。図５においては、課金センターにおいて処理を行っていたが、第５実施形態においては、これらの処理は、コンテンツセンターにおいて行われる。コンテンツセンターは、第１実施形態と同様に、図２２に示す処理も行う。図２２の処理の内容については、図６と同様であるため、図６と同様の符号を付して重複説明を省略する。
【００６３】
なお、本発明は上記実施形態に限定されるものではなく、その要旨を逸脱しない範囲で種々変形して実施することができる。
【００６４】
また、上述した各実施例では、コンテンツデータを携帯端末ＩＤ又はメモリカードＩＤで暗号化しているが、これに限らず、携帯端末に共通鍵を持たせ、少なくともコンテンツデータが配信される前にコンテンツデータを共通鍵で暗号化しておき、共通鍵の方を前述の各実施例の場合と同様に、データ配信（転送）される毎に暗号化、復号化するようにしても良い。
【００６５】
なお、上述した各実施例の携帯端末の使用例としては、その出力端をスピーカ付きのオーディオ装置の外部出力と接続してこれらの装置と組み合わせて用いることもできる。
【００６６】
【発明の効果】
以上のように本発明によれば、電子マネーにより決済するため、又はプリペイド方式であるため、少額決済であっても与信管理コストを抑えることができる。
【００６７】
コンテンツデータは携帯端末又はメモリカード毎に異なる暗号鍵により暗号化されて、携帯端末内に記憶されており、仮に不法にコピーされても他の携帯端末では容易に再生できないため、不法コピーを予防することができる。
【００６８】
また、第１及び第２の実施形態によれば、コンテンツセンターに記憶されている多数のコンテンツデータの中から任意のコンテンツデータを選択することができ、ユーザの好みの多様化に充分に対応可能である。
【００６９】
設置端末ＩＤから端末の設置場所がわかるので、地域別ヒットチャート等が容易に作成できる。また、個人端末ＩＤから端末所有者の年齢、性別等がわかるので、年齢別ヒットチャート、男女別ヒットチャート等も容易に作成できる。すなわち、本発明によれば、詳細な市場調査が可能になる。
【００７０】
さらに、第３及び第４の実施形態によれば、従来の著作権保護技術と異なり、ユーザ間のデータ転送を容認しても、データ転送時に課金することによって、著作権者へ使用料を還元することが出来る。
【００７１】
コンテンツの内容によって、設置端末からの購入が多いのか、それとも携帯端末からの購入が多いのかなども把握でき、より詳細な市場調査が可能になる。
【００７２】
携帯端末間でコピーが可能、つまり設置端末がなくてもコピーが可能であるから、コピー可能な場所、つまりデータの売買が行われる場所が大きく広がる。このため、設置端末がある場所まで行かなくてもコピーできるというユーザ側のメリットのみならず、設置端末がない所でもビジネスが成立するというデータ供給側のメリットも存在する。
【００７３】
インターネットに代表されるネットワークを利用して、店頭や自宅に居ながら世界中の音楽コンテンツを手に入れ、それを気軽に持ち歩くための携帯機器が提供可能になる。
【図面の簡単な説明】
【図１】第１実施形態を観念的に示すブロック図。
【図２】同実施形態におけるデータの流れの概略を示す図。
【図３】（ａ）及び（ｂ）は、同実施形態におけるユーザ携帯端末の処理の流れを示すフローチャート。
【図４】同実施形態における販売店設置端末の処理の流れを示すフローチャート。
【図５】同実施形態における課金センターの処理の流れを示すフローチャート。
【図６】同実施形態におけるコンテンツセンターの処理の流れを示すフローチャート。
【図７】同実施形態において使用される携帯端末の構成図。
【図８】第２実施形態を観念的に示すブロック図。
【図９】（ａ）及び（ｂ）は、第３実施形態を観念的に示すブロック図。
【図１０】同実施形態におけるデータの流れの概略を示す図。
【図１１】同実施形態における受信側携帯端末の処理の流れを示すフローチャート。
【図１２】同実施形態における受信側携帯端末との間でデータ転送を行う際の送信側携帯端末の処理の流れを示すフローチャート。
【図１３】同実施形態における販売店設置端末との間でデータ転送を行う際の送信側携帯端末の処理の流れを示すフローチャート。
【図１４】同実施形態における販売店設置端末の処理の流れを示すフローチャート。
【図１５】同実施形態における課金センターの処理の流れを示すフローチャート。
【図１６】同実施形態において使用される携帯端末の構成図。
【図１７】（ａ）及び（ｂ）は、第４実施形態を観念的に示すブロック図。
【図１８】第５実施形態におけるデータの流れの概略を示す図。
【図１９】（ａ）及び（ｂ）は同実施形態におけるユーザ携帯端末の処理の流れを示すフローチャート。
【図２０】同実施形態における販売店設置端末の処理の流れを示すフローチャート。
【図２１】同実施形態におけるコンテンツセンターの処理の流れを示すフローチャート。
【図２２】同実施形態におけるコンテンツセンターの処理の流れを示すフローチャート。
【符号の説明】
１０  ユーザ携帯端末
１１  販売店設置端末
１２  課金センター
１３  コンテンツセンター
１４  通信回線
１５  通信衛星
２０  携帯端末ＩＤ又はメモリカードＩＤ
２１  設置端末ＩＤ
２２  コンテンツＩＤ
２３  課金情報
２４  電子マネー
２５  送信要求信号
２６  コンテンツデータ
５０１  データ転送インターフェース
５０２  電子財布部
５０３  表示部
５０４  操作部
５０５  記憶部
５０６  復号化部
５０７  データ伸長部
５０８  再生部
５０９  出力端子
５１０  制御部
５１１  内部バス
【図１】
0003786332.tif 000002
【図２】
0003786332.tif 000003
【図３】
0003786332.tif 000004
【図４】
0003786332.tif 000005
【図５】
0003786332.tif 000006
【図６】
0003786332.tif 000007
【図７】
0003786332.tif 000008
【図８】
0003786332.tif 000009
【図９】
0003786332.tif 000010
【図１０】
0003786332.tif 000011
【図１１】
0003786332.tif 000012
【図１２】
0003786332.tif 000013
【図１３】
0003786332.tif 000014
【図１４】
0003786332.tif 000015
【図１５】
0003786332.tif 000016
【図１６】
0003786332.tif 000017
【図１７】
0003786332.tif 000018
【図１８】
0003786332.tif 000019
【図１９】
0003786332.tif 000020
【図２０】
0003786332.tif 000021
【図２１】
0003786332.tif 000022
【図２２】
0003786332.tif 000023